(57)【要約】【課題】スイッチング素子によって、リップルによる出力電流の変動を抑制でき、かつ異常発熱を抑制できる点灯装置を提供する。【解決手段】点灯装置３は、整流回路５、降圧コンバータ７及び制御部１０ｆを備える。降圧コンバータ７は、平滑コンデンサＣ１で平滑化された電圧ＶＣ１をスイッチング素子Ｑ１のオンオフ切替によって降圧し、降圧した電圧Ｖ１０に応じた電流を出力電流Ｉ１０として発光部４に出力する。制御部１０ｆは、判定条件を満たさない場合は、降圧コンバータ７の出力電流Ｉ１０が一定になるようにスイッチング素子Ｑ１のスイッチング周期のオン時間を制御し、判定条件を満たす場合は、降圧コンバータ７の出力電流Ｉ１０の出力が低減するようにスイッチング素子Ｑ１を制御する。上記判定条件は、スイッチング素子Ｑ１のスイッチング周期のオン時間が第１閾値時間以上になる状態が第２閾値時間以上継続するという条件である。【選択図】図１
2019207807.tif 000002
【特許請求の範囲】
【請求項１】
交流電圧を整流する整流回路と、
前記整流回路で整流された電圧を平滑化する平滑コンデンサと、
スイッチング素子を含み、前記平滑コンデンサで平滑化された電圧を前記スイッチング素子のオンオフ切替によって降圧し、降圧した電圧に応じた直流電流を出力電流として負荷に出力する降圧コンバータと、
前記スイッチング素子のスイッチング周期のオン時間が前記スイッチング周期において第１閾値時間以上になる状態が第２閾値時間以上継続するという判定条件を満たすか否かを判定する判定部と、
前記判定部が前記判定条件を満たさないと判定した場合は、前記出力電流が一定になるように前記スイッチング素子の前記スイッチング周期の前記オン時間を制御し、前記判定条件を満たすと判定した場合、前記出力電流の出力が低減するように前記スイッチング素子の前記スイッチング周期の前記オン時間を制御する制御部と、を備える
点灯装置。
【請求項２】
前記スイッチング素子の制御電極に印加された制御電圧に応じて充放電するコンデンサを含む充放電回路を更に備え、
前記判定部は、前記コンデンサの両端間電圧が閾値電圧以上である場合は、前記判定条件を満たすと判定し、前記コンデンサの両端間電圧が前記閾値電圧未満である場合は、前記判定条件を満たさないと判定する
請求項１に記載の点灯装置。
【請求項３】
前記降圧コンバータは、
前記スイッチング素子がオン状態であるときに前記スイッチング素子からの電流が流れる１次巻線と、
前記１次巻線に流れる電流の変化によって誘導起電力が発生する２次巻線と、有し、
前記点灯装置は、
前記２次巻線に発生する前記誘導起電力に応じて充放電するコンデンサを含む充放電回路を更に有し、
前記判定部は、前記コンデンサの両端間電圧が閾値電圧以上である場合は、前記判定条件を満たすと判定し、前記コンデンサの両端間電圧が閾値電圧未満である場合は、前記判定条件を満たさないと判定する
請求項１に記載の点灯装置。
【請求項４】
前記充放電回路は、互いに電圧値が異なる第１信号及び第２信号のうちの１つを選択的に前記判定部に出力する信号出力回路を有し、
前記信号出力回路は、前記コンデンサの両端間電圧が前記閾値電圧未満である場合は、前記第１信号を前記判定部に出力し、前記コンデンサの両端間電圧が前記閾値電圧以上である場合は、前記第２信号を前記判定部に出力し、
前記判定部は、前記信号出力回路から前記第１信号を取得する場合は、前記判定条件を満たさないと判定し、前記信号出力回路から前記第２信号を取得する場合は、前記判定条件を満たすと判定する
請求項２又は３に記載の点灯装置。
【請求項５】
前記充放電回路は、互いに電圧値が異なる第１信号及び第２信号のうちの１つを選択的に前記判定部に出力するラッチ回路を有し、
前記ラッチ回路は、前記コンデンサの両端間電圧が前記閾値電圧未満である場合は、前記第１信号を前記判定部に出力し、前記コンデンサの両端間電圧が前記閾値電圧以上である場合は、前記コンデンサの両端間電圧が前記閾値電圧未満に戻っても、前記第２信号を前記判定部に出力し続け、
前記判定部は、前記ラッチ回路から前記第１信号を取得すると、前記判定条件を満たさないと判定し、前記ラッチ回路から前記第２信号を取得すると、前記判定条件を満たすと判定する
請求項２〜４の何れか一項に記載の点灯装置。
【請求項６】
請求項１〜５の何れか一項に記載の点灯装置と、
前記負荷と、を備え、
前記負荷は、発光部、又は、発光部を発光させる駆動回路である
照明装置。
【発明の詳細な説明】
【技術分野】
【０００１】
本開示は、一般に点灯装置及び照明装置に関し、より詳細には、降圧コンバータを含む点灯装置及び照明装置に関する。
【背景技術】
【０００２】
降圧コンバータを含む点灯装置として、特許文献１に記載の電源装置が知られている。特許文献１に記載の電源装置は、発光素子（負荷）を発光させる装置であって、ダイオードブリッジ（整流回路）と、平滑コンデンサと、バックコンバータ（降圧コンバータ）と、発光素子と、制御部とを備えている。ダイオードブリッジは、交流電圧を整流する。平滑コンデンサは、ダイオードブリッジで整流された電圧を平滑化する。制御部は、コンデンサで平滑化された電圧に基づく電流の平均値が目標値と一致するように、バックコンバータを制御し、その電流を発光素子に供給する。
【先行技術文献】
【特許文献】
【０００３】
【特許文献１】特開２０１０−１７０８４５
【発明の概要】
【発明が解決しようとする課題】
【０００４】
特許文献１に記載の電源装置では、電源装置を小型化するために平滑コンデンサを小型化すると、平滑コンデンサの容量が一般的に小さくなるため、平滑コンデンサによる電圧の平滑化が十分に行えなくなる。この結果、平滑コンデンサの出力電圧に大きなリップルが発生し、そのリップルの影響で電源装置の出力電流に変動が発生するという問題がある。
【０００５】
この問題を解決するために、降圧コンバータのスイッチング素子のオン時間を、リップルに応じて制御することで、電源装置の出力電流の変動を抑制する案が考えられる。しかしながら、この案では、電源装置に故障（例えばオープン故障又は短絡）が発生した場合、スイッチング素子によって電源装置の出力電流が電流値の大きい状態に制御され続けて、電源装置に異常発熱が発生する場合がある。
【０００６】
本開示は、上記事由に鑑みてなされており、スイッチング素子によって、リップルによる出力電流の変動を抑制でき、かつ異常発熱の発生を抑制できる点灯装置及び照明装置を提供することを目的とする。
【課題を解決するための手段】
【０００７】
本開示の一態様に係る点灯装置は、整流回路と、平滑コンデンサと、降圧コンバータと、判定部と、制御部と、を備える。前記整流回路は、交流電圧を整流する。前記平滑コンデンサは、前記整流回路で整流された電圧を平滑化する。前記降圧コンバータは、スイッチング素子を含み、前記平滑コンデンサで平滑化された電圧を前記スイッチング素子のオンオフ切替によって降圧し、降圧した電圧に応じた直流電流を出力電流として負荷に出力する。前記判定部は、判定条件を満たすか否かを判定する。前記判定条件は、前記スイッチング素子のスイッチング周期のオン時間が前記スイッチング周期において第１閾値時間以上になる状態が第２閾値時間以上継続するという条件である。前記制御部は、前記判定部が前記判定条件を満たさないと判定した場合は、前記出力電流が一定になるように前記スイッチング素子の前記スイッチング周期の前記オン時間を制御する。前記制御部は、前記判定条件を満たすと判定した場合、前記出力電流の出力が低減するように前記スイッチング素子を制御する。
【０００８】
本開示の一態様に係る照明装置は、前記点灯装置と、発光部及び駆動回路のうちの一方と、を備える。前記発光部及び前記駆動回路のうちの一方は、前記点灯装置の前記負荷として設けられている。前記駆動回路は、発光部を発光させる。
【発明の効果】
【０００９】
本開示は、スイッチング素子によって、リップルによる出力電流の変動を抑制でき、かつ異常発熱の発生を抑制できるという、利点を有する。
【図面の簡単な説明】
【００１０】
【図１】図１Ａは、実施形態１に係る照明装置の回路図である。図１Ｂは、同上の照明装置の負荷の変形例を示す部分回路図である。
【図２】図２は、平滑コンデンサの両端間電圧と降圧コンバータの出力電流とを比較した比較図である。
【図３】図３は、実施形態２に係る照明装置を示す回路図である。
【図４】図４は、実施形態３に係る照明装置を示す回路図である。
【図５】図５は、実施形態４に係る照明装置を示す回路図である。
【図６】図６は、実施形態５に係る照明装置を示す回路図である。
【図７】図７は、実施形態５の変形例１に係る照明装置を示す回路図である。
【図８】図８は、実施形態５の変形例２に係る照明装置のラッチ回路を示す回路図である。
【図９】図９は、実施形態６に係る照明装置を示す回路図である。
【図１０】図１０Ａは、実施形態７に係る照明装置の斜視図である。図１０Ｂは、同上の照明装置の変形例１の斜視図である。図１０Ｃは、同上の照明装置の変形例２の斜視図である。
【発明を実施するための形態】
【００１１】
以下、実施形態に係る照明装置について説明する。下記の実施形態は、本開示の様々な実施形態の例に過ぎない。また、下記の実施形態は、本開示の目的を達成できれば、設計等に応じて種々の変更が可能である。
【００１２】
（実施形態１）
図１Ａに示すように、本実施形態に係る照明装置１は、交流電源２から供給される電力を用いて発光部４を発光させる装置である。照明装置１は、発光部４として、例えばスポットライト又はダウンライトなどの小電力の発光部を発光させるのに適した照明装置である。照明装置１は、交流電源２と、点灯装置３と、発光部４とを備えている。発光部４は、例えば発光素子（例えば発光ダイオード）で構成されている。
【００１３】
交流電源２は、交流電力（すなわち交流電圧及び交流電流）を出力する電源であり、例えば、商用電源である。交流電源２は、交流電力を出力するための２つの出力端２ａ，２ｂを有する。２つの出力端２ａ，２ｂは、点灯装置３の後述の２つの入力端Ｔ１，Ｔ２に一対一に対応し、対応する入力端Ｔ１，Ｔ２と接続されている。
【００１４】
点灯装置３は、交流電源２から出力された交流電力を整流しかつ平滑化する。点灯装置３は、平滑化された電圧ＶＣ１を所要の電圧に降圧し、降圧した電圧Ｖ８を発光部４に出力する。以後、出力電圧Ｖ８とも記載する。また、点灯装置３は、降圧した電圧Ｖ８に応じた電流Ｉ８（すなわち点灯装置３が生成した直流電流）を発光部４に出力する。以後、出力電流Ｉ８とも記載する。この出力電流Ｉ８によって発光部４が発光する。なお、所要の電圧とは、発光部４に応じて予め設定された電圧である。
【００１５】
点灯装置３は、２つの入力端Ｔ１，Ｔ２と、２つの出力端Ｔ３，Ｔ４と、第１電路Ｈ１及び第２電路Ｈ２と、整流回路５と、平滑コンデンサＣ１と、降圧コンバータ７と、充放電回路９と、制御器１０と、抵抗素子Ｒ１とを備えている。制御器１０は、判定部１０ｅ及び制御部１０ｆを有する。
【００１６】
２つの入力端Ｔ１，Ｔ２は、交流電源２から出力された交流電力が入力される部分である。入力端Ｔ１は、上述の通り、交流電源２の出力端２ａと接続されている。入力端Ｔ２は、上述の通り、交流電源２の出力端２ｂと接続されている。
【００１７】
２つの出力端Ｔ３，Ｔ４は、点灯装置３の出力電圧Ｖ８及び出力電流Ｉ８が出力される部分であり、かつ発光部４が接続される部分である。本実施形態では、発光部４は、上述の通り、発光ダイオードとして構成されている。発光部４のアノードが出力端Ｔ３に接続され、発光部４のカソードが出力端Ｔ４に接続されている。
【００１８】
整流回路５は、２つの入力端Ｔ５，Ｔ６と、２つの出力端Ｔ７，Ｔ８とを有する。２つの入力端Ｔ５，Ｔ６は、点灯装置３の２つの入力端Ｔ１，Ｔ２を構成する。整流回路５は、２つの入力端Ｔ５，Ｔ６に入力された交流電力（すなわち交流電圧及び交流電流）を整流（例えば全波整流）して電力を生成し、生成した電力を２つの出力端Ｔ７，Ｔ８から出力する。以後、出力電圧Ｖ９及び出力電流Ｉ９とも記載する。整流回路５は、例えば４つのダイオードを組合わせて構成されたダイオードブリッジ回路として構成可能である。
【００１９】
出力端Ｔ７が正極側の出力端であり、出力端Ｔ８が負極側の出力端である。したがって、整流回路５の出力電圧（すなわち整流回路５で整流された電圧）Ｖ９は、２つの出力端Ｔ７，Ｔ８の間の電圧として出力される。また、整流回路５の出力電流Ｉ９（すなわち整流回路５で整流された電流）は、出力端Ｔ７から出力される。
【００２０】
第１電路Ｈ１は、出力端Ｔ７と出力端Ｔ３とを接続する電路である。第２電路Ｈ２は、出力端Ｔ８と出力端Ｔ４とを接続する電路である。整流回路５の出力電流Ｉ９が第１電路Ｈ１を流れることにより、降圧コンバータ７を介して出力端Ｔ３から電流Ｉ８が発光部４に出力される。整流回路５の出力電圧Ｖ９が第１電路Ｈ１及び第２電路Ｈ２の間に印加されることにより、降圧コンバータ７を介して２つの出力端Ｔ３，Ｔ４の間の電圧が発光部４に出力される。
【００２１】
平滑コンデンサＣ１は、整流回路５で整流された電圧Ｖ９を平滑化する回路素子である。平滑コンデンサＣ１は、整流回路５の後段において、第１電路Ｈ１と第２電路Ｈ２との間に跨って接続されている。換言すれば、平滑コンデンサＣ１は、整流回路５の２つの出力端Ｔ７，Ｔ８の間に跨って接続されている。
【００２２】
降圧コンバータ７は、平滑コンデンサＣ１で平滑された電圧ＶＣ１をスイッチング素子Ｑ１のオンオフ切替（より詳細にはチョッパ制御）によって所要の電圧に降圧し、降圧した電圧Ｖ１０を発光部４に出力する。また、降圧コンバータ７は、降圧した電圧Ｖ１０に応じた直流電流Ｉ１０（すなわち整流回路５で整流された電流）を発光部４に出力する。降圧コンバータ７の出力電圧Ｖ１０及び出力電流Ｉ１０が、点灯装置３の出力電圧及び出力電流となる。スイッチング素子Ｑ１が制御器１０で制御されることで、降圧コンバータ７は制御器１０で制御されている。
【００２３】
降圧コンバータ７は、スイッチング素子Ｑ１と、コイルＬ１と、ダイオードＤ１と、平滑コンデンサＣ２と、電流検出回路１１とを備えている。
【００２４】
スイッチング素子Ｑ１は、例えば半導体スイッチング素子（例えばＭＯＳＦＥＴ（metal-oxide-semiconductor field-effect transistor））である。スイッチング素子Ｑ１は、２つの主電極（例えばソース及びドレイン）と、１つの制御電極（例えばゲート）とを有する。２つの主電極間は、第１電路Ｈ１の途中において第１電路Ｈ１に接続されている。すなわち、一方の主電極（ソース）は、第１電路Ｈ１によって出力端Ｔ３に接続されており、他方の主電極（ドレイン）は、第１電路Ｈ１によって出力端Ｔ７に接続されている。また、制御電極（ゲート）は、制御器１０の後述の制御端子１０ａに接続されている。これにより、スイッチング素子Ｑ１は、制御器１０で制御される。
【００２５】
コイルＬ１は、第１電路Ｈ１におけるスイッチング素子Ｑ１の後段に、接続されている。すなわち、コイルＬ１は、スイッチング素子Ｑ１の一方の主電極（ソース）と点灯装置３の出力端Ｔ３との間に直列に接続されている。
【００２６】
平滑コンデンサＣ２は、コイルＬ１の後段において、第１電路Ｈ１と第２電路Ｈ２との間に跨って接続されている。換言すれば、平滑コンデンサＣ２は、２つの出力端Ｔ３，Ｔ４の間に跨って接続されている。
【００２７】
ダイオードＤ１は、第１電路Ｈ１の接続点Ｎ１と、第２電路Ｈ２の接続点Ｎ２との間に跨って接続されている。接続点Ｎ１は、第１電路Ｈ１におけるスイッチング素子Ｑ１とコイルＬ１との間（より詳細には、スイッチング素子Ｑ１と後述の電流検出回路１１との間）の接続点である。接続点Ｎ２は、第２電路Ｈ２における整流回路５の出力端Ｔ８と平滑コンデンサＣ２との間（より詳細には平滑コンデンサＣ１，Ｃ２間）の接続点である。ダイオードＤ１のカソードは、第１電路Ｈ１に接続され、ダイオードＤ１のアノードは、第２電路Ｈ２に接続されている。
【００２８】
電流検出回路１１は、コイルＬ１に流れる電流ＩＬ１を検出する。この検出結果は、制御器１０の後述の電流検出端子１０ｄに出力される。以下、電流検出回路１１が検出する電流ＩＬ１を「検出電流ＩＬ１」とも記載する。
【００２９】
より詳細には、電流検出回路１１は、検出電流ＩＬ１が流れる抵抗素子１１ａを有する。抵抗素子１１ａは、第１電路Ｈ１におけるスイッチング素子Ｑ１とコイルＬ１との間に接続されている。抵抗素子１１ａとコイルＬ１との間の接続点Ｎ３は、制御器１０の後述の接地端子１０ｃに接続されている。これにより、抵抗素子１１ａの通電方向下流側の端部は、接地端子１０ｃに接続されている。抵抗素子１１ａとスイッチング素子Ｑ１との間の接続点Ｎ４は、制御器１０の後述の電流検出端子１０ｄに接続されている。これにより、抵抗素子１１ａの両端間電圧は、電流検出端子１０ｄに入力されている。
【００３０】
この電流検出回路１１では、検出電流ＩＬ１が抵抗素子１１ａを通電したとき、抵抗素子１１ａの両端間に、検出電流ＩＬ１の大きさに応じた電圧降下が発生する。電流検出回路１１は、上記の電圧降下の大きさをもって、検出電流ＩＬ１の大きさを検出している。そして、抵抗素子１１ａの通電方向上流側の端部の電位が電流検出端子１０ｄに入力されることで、電流検出結果が制御器１０に出力されている。
【００３１】
なお、本実施形態では、電流検出回路１１は、抵抗素子１１ａでの電圧降下を利用して電流検出を行うが、電流検出方法をこのように限定するものではない。例えば、電流検出回路１１は、抵抗素子１１ａの代わりに、ホール素子方式電流センサを用いて電流検出を行ってもよい。
【００３２】
この降圧コンバータ７では、制御器１０によってスイッチング素子Ｑ１がオンオフ制御されることで、平滑コンデンサＣ１で平滑化された電圧ＶＣ１が所要の電圧に降圧される。より詳細には、スイッチング素子Ｑ１のオン時間中は、平滑コンデンサＣ１の両端間電圧ＶＣ１によって平滑コンデンサＣ２に電圧が印加される。また、コイルＬ１にエネルギーが蓄えられる。そして、スイッチング素子Ｑ１がオフに切り替わると、その切り替わりによってコイルＬ１に誘導起電力が発生する。スイッチング素子Ｑ１のオフ時間中は、その誘導起電力によって平滑コンデンサＣ２に電圧が印加される。オン時間中の平滑コンデンサＣ１の両端間電圧ＶＣ１とオフ時間中のコイルＬ１による誘導起電力とが、平滑コンデンサＣ２によって平滑化されることで、平滑コンデンサＣ１の両端間電圧ＶＣ１が所要の電圧に降圧される。そして、この降圧された電圧が、降圧コンバータ７の出力電圧Ｖ１０（すなわち点灯装置３の出力電圧Ｖ８）として発光部４に出力される。
【００３３】
充放電回路９は、スイッチング素子Ｑ１の制御電極に印加される電圧Ｖｇ１に応じて充放電するコンデンサＣ３を含む回路である。コンデンサＣ３の両端間電圧ＶＣ３は、制御器１０に出力される。充放電回路９は、２つの抵抗素子Ｒ２，Ｒ３と、コンデンサＣ３と、ダイオードＤ２とを備えている。
【００３４】
２つの抵抗素子Ｒ２，Ｒ３は、スイッチング素子Ｑ１の制御電極に印加された電圧Ｖｇ１を分圧する分圧回路を構成する。２つの抵抗素子Ｒ２，Ｒ３は、互いに直列に接続された状態で、スイッチング素子Ｑ１の制御電極と制御器１０の後述の接地端子１０ｃとの間（より詳細にはダイオードＤ２と接地端子１０ｃとの間）に接続されている。
【００３５】
コンデンサＣ３は、抵抗素子Ｒ２，Ｒ３で分圧された電圧（すなわちスイッチング素子Ｑ１の制御電極に印加される制御電圧Ｖｇ１）に応じて、充放電する回路素子である。本実施形態では、スイッチング素子Ｑ１の制御電極に制御電圧Ｖｇ１としてオン電圧が印加されると、コンデンサＣ３には、抵抗素子Ｒ２，Ｒ３によるオン電圧の分圧が印加され、コンデンサＣ３が充電される。この結果、コンデンサＣ３の両端間電圧ＶＣ３は、上昇する。なお、オン電圧は、スイッチング素子Ｑ１をオンに切り替える電圧である。また、スイッチング素子Ｑ１の制御電極に制御電圧Ｖｇ１としてオフ電圧（電圧値零）が印加されると、コンデンサＣ３は充電されずに放電する。この結果、コンデンサＣ３の両端間電圧ＶＣ３は、低下する。なお、オフ電圧は、スイッチング素子Ｑ１をオフに切り替える電圧である。コンデンサＣ３の両端間電圧ＶＣ３が充放電回路９の出力電圧Ｖ５となる。すなわち、充放電回路９は、コンデンサＣ３の両端間電圧ＶＣ３に応じて出力電圧Ｖ５を変化させる。
【００３６】
コンデンサＣ３は、２つの抵抗素子Ｒ２，Ｒ３のうちの一方の抵抗素子（例えば抵抗素子Ｒ３）の両端に並列に接続されている。コンデンサＣ３は、一方の抵抗素子Ｒ３の両端間の電圧を平滑する。コンデンサＣ３の高電位側の端部は、制御器１０の後述の検出端子１０ｂに接続され、コンデンサＣ３の低電位側の端部は、制御器１０の後述の接地端子１０ｃに接続されている。
【００３７】
ダイオードＤ２は、コンデンサＣ３に充電された電荷が制御器１０に逆流することを防止する回路素子である。ダイオードＤ２は、スイッチング素子Ｑ１の制御電極と抵抗素子Ｒ２との間に接続されている。ダイオードＤ２のアノードは、スイッチング素子Ｑ１の制御電極に接続され、ダイオードＤ２のカソードは、抵抗素子Ｒ２に接続されている。
【００３８】
なお、この充放電回路９では、スイッチング素子Ｑ１のオフ時間中に、コンデンサＣ３に充電された電荷が放電することを抑制するために、充放電回路９の時定数は、スイッチング素子Ｑ１のスイッチング周波数に対して十分に大きな値に設定されることが望ましい。
【００３９】
制御器１０は、スイッチング素子Ｑ１のスイッチング周期のオン時間を制御する回路であり、その制御によって、降圧制御、出力一定制御、及び出力低減制御を行う。
【００４０】
本実施形態では、制御器１０は、スイッチング素子Ｑ１のオン時間をＰＷＭ（Pulse Width Modulation）制御で制御する。ただし、制御器１０は、ＰＷＭ制御の代わりに、ＰＦＭ（Pulse Frequency Modulation）制御など他の制御方法で制御してもよい。上記のスイッチング周期は、スイッチング素子Ｑ１をオンに切り替え、更にオフに切り替えて、再びオンに切り替えるまでの時間である。上記のオン時間は、スイッチング素子Ｑ１をオン状態にするためのオン電圧をスイッチング素子Ｑ１の制御電極に印加する時間である。スイッチング周期のうちのオン時間以外の時間は、オフ時間である。オフ時間は、スイッチング素子Ｑ１をオフ状態にするためのオフ電圧をスイッチング素子Ｑ１の制御電極に印加する時間である。
【００４１】
制御器１０は、上記の降圧制御として、降圧コンバータ７の出力電圧Ｖ１０が所要の電圧に降圧するように、スイッチング素子Ｑ１のオン時間を制御する。そして、制御器１０は、上記の降圧制御を実行した後（すなわち降圧コンバータ７の出力電圧Ｖ１０を所要の電圧に降圧した後）、コンデンサＣ３の両端間電圧ＶＣ３に基づいて、下記の判定条件を満たすか否かを判定する。そして、制御器１０は、下記の判定条件を満たさない場合、上記の出力一定制御として、降圧コンバータ７の出力電流Ｉ１０が一定になるように、スイッチング素子Ｑ１のオン時間を制御する。また、制御器１０は、下記の判定条件を満たす場合に、上記の出力低減制御として、降圧コンバータ７の出力電流Ｉ１０を低減するように、スイッチング素子Ｑ１のオン時間を制御する。なお、上記の出力低減制御では、降圧コンバータ７の出力電流Ｉ１０が予め設定された所定の電流値まで低減されるか、又は、降圧コンバータ７の出力電流Ｉ１０の出力が停止される。
【００４２】
なお、上記の判定条件は、スイッチング素子Ｑ１のオン時間が第１閾値時間以上になる状態が、第２閾値時間以上継続するという条件である。第１閾値時間は、例えば、上記のオン時間の取り得る最大値（例えばスイッチング周期と同じ時間）である。第２閾値時間は、例えば、交流電源２（例えば商用電源）の周期の４分の１の長さである。第２閾値時間は、数値的には、例えば数ミリ秒である。なお、第１閾値時間及び第２閾値時間は、照明装置１の使用状況に応じて最適な値に設定される。
【００４３】
制御器１０は、制御端子１０ａと、検出端子１０ｂと、接地端子１０ｃと、電流検出端子１０ｄと、判定部１０ｅと、制御部１０ｆとを備えている。制御器１０は、例えば制御ＩＣ（integrated circuit）として構成されている。
【００４４】
制御端子１０ａは、抵抗素子Ｒ１を介してスイッチング素子Ｑ１の制御電極に接続されている。制御端子１０ａは、スイッチング素子Ｑ１をオンに切り替えるオン電圧、及びオフに切り替えるオフ電圧を選択的に出力する端子である。検出端子１０ｂは、コンデンサＣ３の高電位側の端部に接続されており、コンデンサＣ３の両端間電圧ＶＣ３が入力される端子である。接地端子１０ｃは、接地されており、抵抗素子Ｒ３の通電方向下流側の端部、コンデンサＣ３の低電位側の端部、及び電流検出回路１１の通電方向下流側の端部と接続されている。
【００４５】
判定部１０ｅは、上記の判定条件を満たすか否かを判定する。本実施形態では、判定部１０ｅは、検出端子１０ｂに入力された電圧（すなわち充放電回路９の出力電圧Ｖ５、換言すればコンデンサＣ３の両端間電圧ＶＣ３）が閾値電圧以上であるか否かに応じて、上記の判定条件を満たすか否かを判定する。すなわち、コンデンサＣ３の両端間電圧ＶＣ３が閾値電圧以上である場合は、判定部１０ｅは、上記の判定条件を満たすと判定し、コンデンサＣ３の両端間電圧ＶＣ３が閾値電圧未満である場合は、判定部１０ｅは、上記の判定条件を満たさないと判定する。
【００４６】
すなわち、上記の判定条件を満たさない場合（すなわち通常時）は、スイッチング素子Ｑ１のオン時間は、第１閾値時間未満であるか、又は第１閾値時間以上であっても、その状態（すなわちオン時間が第１閾値時間以上の状態）は第２閾値以上継続しない。このため、通常時は、コンデンサＣ３の両端間電圧ＶＣ３は、閾値電圧以上にはならない。他方、上記の判定条件を満たす場合（すなわち異常時）は、スイッチング素子Ｑ１のオン時間が第１閾値時間以上である状態が、第２閾値時間以上継続する。このため、コンデンサＣ３の両端間電圧ＶＣ３は、通常時のコンデンサＣ３の両端間電圧ＶＣ３よりも高くなり、閾値電圧以上になる。このため、コンデンサＣ３の両端間電圧ＶＣ３が閾値電圧以上であるか否かによって、上記の判定条件を満たすか否かを判定可能である。
【００４７】
制御部１０ｆは、上記の降圧制御、出力一定制御、及び出力低減制御を行う。より詳細には、制御部１０ｆは、上記の降圧制御を実行した後に、判定部１０ｅの判定結果に応じて、上記の出力一定制御又は上記の出力低減制御を行う。
【００４８】
制御部１０ｆは、上記の降圧制御として、平滑コンデンサＣ１で平滑化された電圧ＶＣ１が所要の電圧に降圧するように、スイッチング素子Ｑ１のスイッチング周期のオン時間をスイッチング周期において（すなわちスイッチング周期の範囲内で）制御する。例えば、制御部１０ｆには、上記の所要の電圧を実現するためのオン時間が予め設定されており、制御部１０ｆは、上記の降圧制御として、スイッチング素子Ｑ１のオン時間を、上記の予め設定されたオン時間に一致させる。なお、制御部１０ｆは、上記の降圧制御として、降圧コンバータ７の出力電圧Ｖ１０を検出し、その検出結果に基づいて降圧コンバータ７の出力電圧Ｖ１０が一定になるようにオン電圧を制御してもよい。
【００４９】
また、制御部１０ｆは、判定部１０ｅが上記の判定条件を満たさないと判定した場合、上記の出力一定制御として、降圧コンバータ７の出力電流Ｉ１０が一定になるように、スイッチング周期のオン時間をスイッチング周期において制御する。また、制御部１０ｆは、判定部１０ｅが上記の判定条件を満たすと判定した場合は、上記の出力低減制御として、降圧コンバータ７の出力電流Ｉ１０が低減するように、スイッチング素子Ｑ１のスイッチング周期のオン時間をスイッチング周期において制御する。
【００５０】
より詳細には、制御部１０ｆは、上記の出力一定制御として、電流検出端子１０ｄに入力された電流検出回路１１の検出結果に基づいて、一定時間内での降圧コンバータ７の出力電流Ｉ１０の変動範囲を求める。そして、制御部１０ｆは、求めた変動範囲内において所定の電流値（例えば極大値又は極小値）を決定する。
【００５１】
そして、制御部１０ｆは、電流検出端子１０ｄに入力された電流検出回路１１の検出結果に基づいて、降圧コンバータ７の出力電流Ｉ１０が上記の所定の電流値を維持するように、スイッチング周期のオン時間をスイッチング周期において制御する。より詳細には、制御部１０ｆは、降圧コンバータ７の出力電流Ｉ１０が上記の所定の電流値よりも大きくなるとオン時間を小さくし、降圧コンバータ７の出力電流Ｉ１０が上記の所定の電流値よりも小さくなるとオン時間を大きくする。このように、降圧コンバータ７の出力電流が上記の所定の電流値に維持されることで、降圧コンバータ７の出力電流Ｉ１０が一定にされている。
【００５２】
上記の出力一定制御によって、平滑コンデンサＣ１で平滑化された電圧ＶＣ１に含まれるリップルによる降圧コンバータ７の出力電流Ｉ１０の変動を抑制可能である。すなわち、スイッチング素子Ｑ１のオン時間中にコイルＬ１に流れる電流ＩＬ１（すなわち降圧コンバータ７の出力電流Ｉ１０）は、式１となる。なお、式１中のＶＣ１は、平滑コンデンサＣ１の両端間電圧ＶＣ１であり、ｔonは、スイッチング素子Ｑ１のオン時間であり、Ｌは、コイルＬ１のインダクタンスである。
【００５３】
ＩＬ１＝ＶＣ１×ｔon÷Ｌ    ・・・式１
電圧ＶＣ１はリップルによって変動する。インダクタンスＬは固定値である。したがって、式１から、上記のリップルに対して電流Ｉを一定に制御するには、リップルによって電圧ＶＣ１が小さくなると、オン時間ｔonを大きくなるように制御し、電圧ＶＣ１が大きくなると、オン時間ｔonを小さくなるように制御すればよい。したがって、上記の出力一定制御のように、降圧コンバータ７の出力電流Ｉ１０が一定になるように、スイッチング素子Ｑ１のオン時間ｔonが制御されることで、リップルによる降圧コンバータ７の出力電流Ｉ１０の変動を抑制可能である。
【００５４】
したがって、この照明装置１では、平滑コンデンサＣ１として容量の小さいコンデンサを用いることで、平滑コンデンサＣ１で平滑化された電圧ＶＣ１にリップルが発生しても、上記の出力一定制御によって、降圧コンバータ７の出力電圧Ｖ１０の変動を抑制できる。すなわち、この照明装置１では、容量の小さい平滑コンデンサＣ１を用いることができ、かつ、リップルによる降圧コンバータ７の出力電圧Ｖ１０の変動を抑制できる。
【００５５】
なお、図２のグラフＡに示すように、平滑コンデンサＣ１として容量が小さいコンデンサを用いると、平滑コンデンサＣ１で十分に平滑化できず、平滑コンデンサＣ１の両端間の電圧ＶＣ１にリップルが発生する。このように、電圧ＶＣ１にリップルが発生しても、上記の出力一定制御によって、リップルの谷部付近で、スイッチング素子Ｑ１のオン時間を十分に大きくできれば、図２のグラフＢに示すように、降圧コンバータ７の出力電流Ｉ１０を一定に制御できる。しかし、リップルの谷部付近で、スイッチング素子Ｑ１のオン時間を十分に大きくなるように制御できなければ、図２のグラフＣに示すように、降圧コンバータ７の出力電流Ｉ１０は、リップルの谷部付近に対応する箇所で低下する。この結果、発光部４において、フリッカなど光の品質が低下する。この現象（フリッカ）は、オン時間を十分に大きくなるように制御すれば、改善可能である。
【００５６】
上記の出力低減制御によって、照明装置１の異常発熱を抑制可能である。すなわち、照明装置１の異常発熱が発生する原因としては、例えば、電流検出回路１１が電流検出不可になって、電流検出端子１０ｄへの入力がゼロになる場合がある。この場合、制御部１０ｆは、降圧コンバータ７の出力電流Ｉ１０を確保するために、スイッチング素子Ｑ１のオン時間を常に第１閾値時間以上の時間(例えば最大オン時間)になるように制御する。この結果、異常発熱が発生し得る異常時は、上記の判定条件を満たすことになる。
【００５７】
すなわち、通常時は、スイッチング素子Ｑ１のオン時間は、上記の出力一定制御によって変動するが、異常時は、スイッチング素子Ｑ１のオン時間は、変動なく常に第１閾値時間以上の時間に制御され、上記の判定条件を満たす。この照明装置１では、上記の判定条件を満たす場合は、制御器１０が、降圧コンバータ７の出力電流Ｉ１０の出力が低減するようにスイッチング素子Ｑ１のオン時間を制御する。このため、降圧コンバータ７から大電流が出力されることで照明装置１に発生する異常発熱は、抑制される。
【００５８】
制御器１０は、上述の通り制御ＩＣとして構成されるが、上述のようにスイッチング素子Ｑ１を制御可能な制御ＩＣとして、汎用の制御ＩＣ（例えば富士電機株式会社のＦＡ５６０１）を使用可能である。
【００５９】
制御器１０がＦＡ５６０１である場合、制御器１０は、外部からの信号を入力するための複数の端子（例えばＦＢ端子、ＣＯＭＰ端子及びＺＣＤ端子）を有する。また、ＦＡ５６０１の内部には、上記の複数の端子に入力された信号に対する内部基準電圧が設定されている。内部基準電圧は、例えばＳｔａｔｉｃ ＯＶＰスレッシュホールド電圧、ＦＢ端子スレッシュ電圧、ＣＯＭ端子スレッシュホールド電圧、及びＺＣＤ端子スレッシュホールド電圧である。すなわち、ＦＡ５６０１は、上記の複数の端子の何れか１つに信号が入力され、その信号が内部基準電圧以上になると、スイッチング素子への制御電圧の印加を制限する機能（例えば過電圧保護機能などの保護機能）を有している。なお、上記の内部基準電圧は、コンデンサＣ３の閾値電圧に対応する電圧である。
【００６０】
したがって、上記の複数の端子のうちの１つの端子を検出端子１０ｂとして用いることで、ＦＡ５６０１の機能によって、判定部１０ｅ及び制御部１０ｆの機能を実行可能である。なお、ＦＡ５６０１に限らず、端子の入力信号に応じてスイッチング素子の動作を制限する機能を有する制御ＩＣであれば、どのような制御ＩＣでも、制御器１０として使用可能である。
【００６１】
以上、このように構成された照明装置１及び点灯装置３によれば、降圧コンバータ７の出力電流Ｉ１０が一定になるようにスイッチング素子Ｑ１のスイッチング周期のオン時間が制御される。このため、整流回路５で整流された電圧Ｖ９にリップルが発生しても、スイッチング素子Ｑ１によって、リップルによる降圧コンバータ７の出力電流Ｉ１０の変動を抑制できる。また、スイッチング素子Ｑ１のオン時間が第１閾値時間以上になる状態が第２閾値時間以上継続した場合、降圧コンバータ７の出力電流Ｉ１０が低減するようにスイッチング素子Ｑ１が制御される。このため、降圧コンバータ７の出力電流Ｉ１０が大電流に制御され続けることを抑制でき、これにより、点灯装置３又は負荷での異常発熱を抑制できる。
【００６２】
また、判定部１０ｅは、コンデンサＣ３の両端間電圧ＶＣ３が閾値電圧以上である場合、上記の判定条件を満たすと判定するため、判定部１０ｅ及び制御部１０ｆを汎用の制御ＩＣで構成できる。すなわち、汎用の制御ＩＣでは、上記の判定条件を満たすか否かを直接判定できないが、汎用の制御ＩＣが有する保護機能例えば過電圧保護機能を用いることで、コンデンサＣ３の両端間電圧ＶＣ３が閾値電圧以上であるか否かは直接判定できる。このため、コンデンサＣ３の両端間電圧ＶＣ３を利用して上記の判定条件を満たすか否かを判定することで、制御部１０ｆ及び判定部１０ｅを汎用の制御ＩＣで構成できる。
【００６３】
また、スイッチング素子Ｑ１の制御電極に印加される制御電圧Ｖｇ１を利用して、充放電回路９を充放電するため、簡易な回路構成で、充放電回路９をスイッチング素子Ｑ１のオン時間に応じて充放電できる。
【００６４】
なお、上記の判定条件を満たす異常時では、スイッチング素子Ｑ１のオン時間が通常時のオン時間よりも長くなるように制御される。このため、コンデンサＣ３の両端間電圧ＶＣ３が、通常時のコンデンサＣ３の両端間電圧ＶＣ３よりも高くなる。よって、コンデンサＣ３の両端間電圧ＶＣ３が閾値電圧以上であるか否かによって、上記の判定条件を満たすか否かを判定できる。
【００６５】
（他の実施形態）
実施形態１は、本開示の様々な実施形態の一つに過ぎない。実施形態１は、本開示の目的を達成できれば、設計等に応じて種々の変更が可能である。以下、他の実施形態を列挙する。以下に説明する実施形態は、適宜組み合わせて適用可能である。以下に説明する実施形態では、実施形態１と異なる点を中心に説明する。また、以下の実施形態では、実施形態１と同じ部分については、同じ符号を付して説明を省略する場合がある。
【００６６】
（実施形態２）
図３に示すように、この実施形態に係る照明装置１は、実施形態１と比較して、充放電回路９において信号出力回路１２を更に備えている。
【００６７】
信号出力回路１２は、ハイレベル信号（第１信号）及びローレベル信号（第２信号）のうちの１つを選択的に制御器１０の検出端子１０ｂ（したがって判定部１０ｅ）に出力する。ハイレベル信号は、ローレベル信号よりも電圧値が高い信号である。すなわち、ハイレベル信号及びローレベル信号は、互いに電圧値が異なる信号である。より詳細には、信号出力回路１２は、コンデンサＣ３の両端間電圧ＶＣ３が閾値電圧未満の場合は、ローレベル信号を検出端子１０ｂに出力する。また、信号出力回路１２は、コンデンサＣ３の両端間電圧ＶＣ３が閾値電圧以上である場合は、ハイレベル信号を検出端子１０ｂに出力する。
【００６８】
信号出力回路１２は、電圧源Ｖ１と、スイッチング素子Ｑ２と、抵抗素子Ｒ４とを備えている。
【００６９】
電圧源Ｖ１は、制御器１０の接地端子１０ｃよりも高い電位の電圧源である。すなわち、電圧源Ｖ１は、ハイレベル信号を生成するための高電位源として機能し、接地端子１０ｃは、ローレベル信号を生成するための低電位源として機能している。
【００７０】
スイッチング素子Ｑ２は、例えば半導体スイッチング素子（例えばＭＯＳＦＥＴ）である。スイッチング素子Ｑ２は、電圧源Ｖ１と制御器１０の接地端子１０ｃとの間に接続されており、スイッチング素子Ｑ２のオンオフに応じて、電圧源Ｖ１と接地端子１０ｃとの間を導通又は遮断する。スイッチング素子Ｑ２は、２つの主電極（例えばソース及びドレイン）と、１つの制御電極（例えばゲート）とを有する。スイッチング素子Ｑ２の一方の主電極（ソース）は、接地端子１０ｃに接続されている。スイッチング素子Ｑ２の他方の主電極（ドレイン）は、抵抗素子Ｒ４を介して電圧源Ｖ１に接続されている。
【００７１】
また、スイッチング素子Ｑ２の上記の他方の主電極（ドレイン）は、制御器１０の検出端子１０ｂに接続されている。これにより、スイッチング素子Ｓ２のオンオフに応じて、上記の他方の主電極の電位Ｖ１６が、高電位（すなわち電圧源Ｖ１の電位）又は低電位（すなわち接地端子１０ｃの電位）に選択的に切り替わる。そして、その高電位又は低電位が上記の信号（ハイレベル信号又はローレベル信号）として検出端子１０ｂに出力される。
【００７２】
スイッチング素子Ｑ２の制御電極（ゲート）は、コンデンサＣ３の高電位側の端部に接続されている。これにより、スイッチング素子Ｑ２は、コンデンサＣ３の両端間電圧ＶＣ３によってオンオフ制御される。より詳細には、スイッチング素子Ｑ２は、コンデンサＣ３の両端間電圧ＶＣ３が閾値電圧未満の電圧である場合は、オフ状態になり、コンデンサＣ３の両端間電圧ＶＣ３が閾値電圧以上の電圧である場合は、オン状態になる。
【００７３】
この信号出力回路１２では、コンデンサＣ３の両端間電圧ＶＣ３が閾値電圧未満である場合（すなわち通常時）は、スイッチング素子Ｑ２がオフ状態となる。この結果、スイッチング素子Ｑ２の電圧源Ｖ１側の主電極の電位Ｖ１６が、高電位（すなわち電圧源Ｖ１の電位）となり、その高電位がハイレベル信号として制御器１０の検出端子１０ｂに出力される。また、コンデンサＣ３の両端間電圧ＶＣ３が閾値電圧以上である場合（すなわち異常時）は、スイッチング素子Ｑ２がオン状態となる。この結果、スイッチング素子Ｑ２の電圧源Ｖ１側の主電極の電位Ｖ１６が、低電位（すなわち接地端子１０ｃの電位）となり、その低電位がローレベル信号として制御器１０の検出端子１０ｂに出力される。
【００７４】
この実施形態の判定部１０ｅは、制御器１０の検出端子１０ｂにハイレベル信号が入力されると（すなわち判定部１０ｅが信号出力回路１２からハイレベル信号を取得すると）、実施形態１で説明した判定条件を満たさないと判定する。また、判定部１０ｅは、検出端子１０ｂにローレベル信号が入力されると（すなわち判定部１０ｅが信号出力回路１２からローレベル信号を取得すると）、上記の判定条件を満たすと判定する。
【００７５】
この実施形態によれば、コンデンサＣ３の両端間電圧ＶＣ３が閾値電圧以上であるか否かの情報を、アナログ信号ではなく、デジタル信号として、判定部１０ｅに出力できる。
【００７６】
（実施形態３）
この実施形態は、実施形態２の変形例である。実施形態２の信号出力回路１２は、コンデンサＣ３の両端間電圧ＶＣ３が閾値電圧以上になると、ローレベル信号を制御器１０の検出端子１０ｂに出力する（図３参照）。これに対し、図４に示すように、この実施形態の信号出力回路１３は、コンデンサＣ３の両端間電圧ＶＣ３が閾値電圧以上になると、ハイレベル信号を制御器１０の検出端子１０ｂに出力する。
【００７７】
図４に示すように、信号出力回路１３は、電圧源Ｖ１及び電圧源Ｖ２と、スイッチング素子Ｑ２及びスイッチング素子Ｑ３と、抵抗素子Ｒ４及び抵抗素子Ｒ５とを備えている。
【００７８】
電圧源Ｖ１、スイッチング素子Ｑ２、及び抵抗素子Ｒ４は、実施形態２で説明した電圧源Ｖ１、スイッチング素子Ｑ２、及び抵抗素子Ｒ４と同じ構成であるため、詳細な説明は省略する。実施形態２では、スイッチング素子Ｑ２の電圧源Ｖ１側の主電極は、制御器１０の検出端子１０ｂに接続されるが、この変形例では、スイッチング素子Ｑ２の電圧源Ｖ１側の主電極は、スイッチング素子Ｑ３の制御電極に接続されている。
【００７９】
電圧源Ｖ２は、制御器１０の接地端子１０ｃよりも高い電位の直流電圧源である。すなわち、電圧源Ｖ２は、ハイレベル信号を生成するための高電位源として機能し、接地端子１０ｃは、ローレベル信号を生成するための低電位源として機能している。電圧源Ｖ２は、電圧源Ｖ１と共通の電圧源であってもよく、電圧源Ｖ１と別の電圧源であってもよい。
【００８０】
スイッチング素子Ｑ３は、例えば半導体スイッチング素子（例えばＭＯＳＦＥＴ）である。スイッチング素子Ｑ３は、電圧源Ｖ２と制御器１０の接地端子１０ｃとの間に接続され、スイッチング素子Ｑ３のオンオフに応じて、電圧源Ｖ２と接地端子１０ｃとの間を導通又は遮断する。
【００８１】
スイッチング素子Ｑ３は、２つの主電極（例えばソース及びドレイン）と、１つの制御電極（例えばゲート）とを有する。スイッチング素子Ｑ３の一方の主電極（ソース）は、接地端子１０ｃに接続されている。スイッチング素子Ｑ３の他方の主電極（ドレイン）は、抵抗素子Ｒ５を介して電圧源Ｖ２に接続されている。スイッチング素子Ｑ３の上記の他方の主電極（ドレイン）は、制御器１０の検出端子１０ｂに接続されている。これにより、スイッチング素子Ｓ３のオンオフに応じて、スイッチング素子Ｑ３の上記の他方の主電極（ドレイン）の電位Ｖ１７が、高電位（すなわち電圧源Ｖ２の電位）又は低電位（すなわち接地端子１０ｃの電位）に選択的に切り替わる。そして、その高電位又は低電位が信号（ハイレベル信号又はローレベル信号）として検出端子１０ｂに出力される。
【００８２】
スイッチング素子Ｑ３の制御電極（ゲート）は、スイッチング素子Ｑ２の他方の主電極（ゲート）に接続されている。これにより、スイッチング素子Ｑ３は、スイッチング素子Ｑ２のオンオフによってオンオフ制御される。
【００８３】
この信号出力回路１３では、コンデンサＣ３の両端間電圧ＶＣ３が閾値電圧未満である場合（すなわち通常時）は、スイッチング素子Ｑ２がオフ状態となる。これにより、スイッチング素子Ｑ２の電圧源Ｖ１側の主電極の電位Ｖ１６が、高電位（すなわち電圧源Ｖ１の電位）となり、スイッチング素子Ｑ２の２つ主電極間の電圧がオン電圧としてスイッチング素子Ｑ３の制御電極に印加される。これにより、スイッチング素子Ｑ３がオン状態になる。この結果、スイッチング素子Ｑ３の電圧源Ｖ２側の主電極の電位Ｖ１７が、低電位（すなわち接地端子１０ｃの電位）となり、その低電位がローレベル信号（第１信号）として制御器１０の検出端子１０ｂに出力される。
【００８４】
また、コンデンサＣ３の両端間電圧ＶＣ３が閾値電圧以上である場合（すなわち異常時）は、スイッチング素子Ｑ３がオン状態となる。これにより、スイッチング素子Ｑ３の電圧源Ｖ２側の主電極の電位Ｖ１７が、低電位（すなわち接地端子１０ｃの電位）となり、スイッチング素子Ｑ２の２つ主電極間の電圧がオフ電圧としてスイッチング素子Ｑ３の制御電極に印加される。これにより、スイッチング素子Ｓ３がオフ状態になる。この結果、スイッチング素子Ｑ３の電圧源Ｖ２側の主電極の電位Ｖ１７が、高電位（すなわち電圧源Ｖ２の電位）となり、その高電位がハイレベル信号（第２信号）として制御器１０の検出端子１０ｂに出力される。
【００８５】
この実施形態の判定部１０ｅは、制御器１０の検出端子１０ｂにローレベル信号が入力されると（すなわち判定部１０ｅが信号出力回路１３からローレベル信号を取得すると）、実施形態１で説明した判定条件を満たさないと判定する。また、判定部１０ｅは、検出端子１０ｂにハイレベル信号が入力されると（すなわち判定部１０ｅが信号出力回路１３からローレベル信号を取得すると）、上記の判定条件を満たすと判定する。
【００８６】
この実施形態によっても、実施形態１と同様の効果を奏することができる。
【００８７】
（実施形態４）
実施形態３の信号出力回路１３は、スイッチング素子Ｑ２，Ｑ３を用いて構成される。これに対し、図５に示すように、この実施形態の信号出力回路１４は、降伏ダイオードＺＤ１を用いて構成される。これにより、信号出力回路１４は、実施形態３の信号出力回路１３と同様に、コンデンサＣ３の両端間電圧ＶＣ３が閾値電圧以上になると、ハイレベル信号を制御器１０の検出端子１０ｂに出力する。
【００８８】
図５に示すように、この実施形態の信号出力回路１４は、降伏ダイオードＺＤ１（ツェナーダイオードとも言う。）と、抵抗素子Ｒ６とを備えている。
【００８９】
降伏ダイオードＺＤ１のカソードは、コンデンサＣ３の高電位側の端部に接続されている。降伏ダイオードＺＤ１のアノードは、抵抗素子Ｒ６を介して制御器１０の接地端子１０ｃに接続されている。抵抗素子Ｒ６の通電方向上流側の端部は、制御器１０の検出端子１０ｂに接続されている。これにより、抵抗素子Ｒ６の通電方向上流側の端部の電位Ｖ１８が、抵抗素子Ｒ６の通電の有無に応じて、ハイレベル信号又はローレベル信号として、検出端子１０ｂに出力される。
【００９０】
降伏ダイオードＺＤ１の降伏電圧（ツェナー電圧とも言う。）は、例えば、コンデンサＣ３の閾値電圧と同じ電圧に設定されている。したがって、降伏ダイオードＺＤ１に対してコンデンサＣ３の閾値電圧以上の逆方向電圧が印加された場合は、降伏ダイオードＺＤ１には、逆方向電流Ｉ１１が流れる。他方、降伏ダイオードＺＤ１に対してコンデンサＣ３の閾値電圧未満の逆方向電圧が印加された場合は、降伏ダイオードＺＤ１には、逆方向電流Ｉ１１は流れない。
【００９１】
この信号出力回路１４では、コンデンサＣ３の両端間電圧ＶＣ３が閾値電圧未満である場合（すなわち通常時）は、降伏ダイオードＺＤ１には、降伏電圧未満の電圧が印加される。これにより、降伏ダイオードＺＤ１には逆方向電流Ｉ１１が流れず、抵抗素子Ｒ６は通電しない。この結果、抵抗素子Ｒ６の通電方向上流側の端部の電位Ｖ１８は、低電位（すなわち接地端子１０ｃの電位）となり、その低電位がローレベル信号（第１信号）として制御器１０の検出端子１０ｂに出力される。
【００９２】
また、コンデンサＣ３の両端間電圧ＶＣ３が閾値電圧以上である場合（すなわち異常時）は、降伏ダイオードＺＤ１には、降伏電圧以上の電圧が印加される。これにより、降伏ダイオードＺＤ１には逆方向電流Ｉ１１が流れ、抵抗素子Ｒ６は通電する。この結果、抵抗素子Ｒ６の通電方向上流側の端部の電位Ｖ１８は、接地端子１０ｃの電位よりも高電位（すなわち抵抗素子Ｒ６での電圧降下の分、高い電位）となり、その高電位がハイレベル信号（第２信号）として制御器１０の検出端子１０ｂに出力される。
【００９３】
この実施形態の判定部１０ｅは、制御器１０の検出端子１０ｂにローレベル信号が入力されると（すなわち判定部１０ｅが信号出力回路１４からローレベル信号を取得すると）、実施形態１で説明した判定条件を満たさないと判定する。また、判定部１０ｅは、検出端子１０ｂにハイレベル信号が入力されると（すなわち判定部１０ｅが信号出力回路１４からハイレベル信号を取得すると）、上記の判定条件を満たすと判定する。
【００９４】
（実施形態５）
図６に示すように、この実施形態に係る照明装置１は、実施形態１と比較して、充放電回路９においてラッチ回路１５を更に備えている。
【００９５】
ラッチ回路１５は、ハイレベル信号（第１信号）及びローレベル信号（第２信号）のうちの１つを選択的に制御器１０の検出端子１０ｂ（したがって判定部１０ｅ）に出力する。ハイレベル信号は、ローレベル信号よりも電圧値が高い信号である。すなわち、ハイレベル信号及びローレベル信号は、互いに電圧値が異なる信号である。より詳細には、ラッチ回路１５は、コンデンサＣ３の両端間電圧ＶＣ３が閾値電圧未満の場合は、ハイレベル信号を検出端子１０ｂに出力する。また、ラッチ回路１５は、コンデンサＣ３の両端間電圧ＶＣ３が、一旦閾値電圧以上になると、コンデンサＣ３の両端間電圧ＶＣ３が閾値電圧未満に戻っても、ローレベル信号（第２信号）を検出端子１０ｂに出力し続ける。
【００９６】
この実施形態の判定部１０ｅは、制御器１０の検出端子１０ｂにハイレベル信号が入力されると（すなわち判定部１０ｅがラッチ回路１５からハイレベル信号を取得すると）、実施形態１で説明した判定条件を満たさないと判定する。また、判定部１０ｅは、検出端子１０ｂにローレベル信号が入力されると（すなわち判定部１０ｅがラッチ回路１５からローレベル信号を取得すると）、上記の判定条件を満たすと判定する。また、判定部１０ｅは、検出端子１０ｂにローレベル信号が入力され続ける間（すなわち判定部１０ｅがラッチ回路１５からローレベル信号を取得し続ける間）、上記の判定条件を満たすと判定し続ける。そして、この実施形態の制御部１０ｆは、判定部１０ｅが上記の判定条件を満たすと判定し続ける間、降圧コンバータ７の出力電流Ｉ１０が低減するように、スイッチング素子Ｑ１のオン時間を制御し続ける。
【００９７】
この実施形態によれば、コンデンサＣ３の両端間電圧ＶＣ３が、一旦閾値電圧以上（異常時）になると、コンデンサＣ３の両端間電圧ＶＣ３が閾値電圧未満（通常時）に戻っても、ラッチ回路１５によって、ローレベル信号が判定部１０ｅに出力され続ける。このため、異常時から通常時に戻った後も、降圧コンバータ７の出力電流Ｉ１０（すなわち点灯装置３の出力電流Ｉ８）を低減し続けることができる。
【００９８】
なお、この実施形態では、ラッチ回路１５は、コンデンサＣ３の両端間電圧ＶＣ３が閾値電圧以上になると、ローレベル信号を制御器１０の検出端子１０ｂに出力するが、ハイレベル信号を制御器１０の検出端子１０ｂに出力してもよい。この場合は、ローレベル信号が第１信号で、ハイレベル信号が第２信号となる。
【００９９】
（実施形態５の変形例１）
この変形例は、実施形態５のラッチ回路１５の具体例を例示する。図７に示すように、この実施形態のラッチ回路１６は、コンデンサＣ３の両端間電圧ＶＣ３が閾値電圧以上になると、ローレベル信号を制御器１０の検出端子１０ｂ（したがって判定部１０ｅ）に出力する。ラッチ回路１６は、降伏ダイオードＺＤ２と、制御整流素子ＳＣＲ１と、抵抗素子Ｒ７と、電圧源Ｖ３とを備えている。
【０１００】
電圧源Ｖ３は、制御器１０の接地端子１０ｃの電位よりも高い電位（高電位）を出力する直流電圧源である。電圧源Ｖ３は、制御器１０が停止しても、照明装置１の電源がオン状態である限り、高電位を出力する電圧源である。すなわち、電圧源Ｖ３が、ハイレベル信号を生成するための高電位源として機能し、接地端子１０ｃが、ローレベル信号を生成するための低電位源として機能する。
【０１０１】
制御整流素子ＳＣＲ１は、例えばサイリスタである。制御整流素子ＳＣＲ１は、２つの主電極（例えばカソード及びアノード）と、１つの制御電極（例えばゲート）とを有する。制御整流素子ＳＣＲ１は、制御電極に一旦、電流が流れると、制御電極への電流が止まっても、２つの主電極間が導通し続ける回路素子である。
【０１０２】
制御整流素子ＳＣＲ１は、電圧源Ｖ３と制御器１０の接地端子１０ｃとの間に接続され、制御整流素子ＳＣＲ１のオンオフに応じて、電圧源Ｖ３と接地端子１０ｃとの間を導通又は遮断する。制御整流素子ＳＣＲ１の一方の主電極（カソード）は、接地端子１０ｃに接続されている。制御整流素子ＳＣＲ１の他方の主電極（アノード）は、抵抗素子Ｒ７を介して電圧源Ｖ３に接続されている。また、制御整流素子ＳＣＲ１の他方の主電極（アノード）は、制御器１０の検出端子１０ｂに接続されている。これにより、制御整流素子ＳＣＲ１の導通方向上流側の主電極（アノード）の電位Ｖ１９が、制御整流素子ＳＣＲ１の導通の有無に応じて、高電位（すなわち電圧源Ｖ３の電位）又は低電位（すなわち接地端子１０ｃの電位）となる。そして、その高電位又は低電位が、ハイレベル信号又はローレベル信号として検出端子１０ｂに出力される。
【０１０３】
降伏ダイオードＺＤ２のカソードは、コンデンサＣ３の高電位側の端部に接続され、降伏ダイオードＺＤ２のアノードは、制御整流素子ＳＣＲ１の制御電極（ゲート）に接続されている。降伏ダイオードＺＤ２の降伏電圧は、例えば、コンデンサＣ３の閾値電圧と同じ電圧に設定されている。したがって、降伏ダイオードＺＤ２に対してコンデンサＣ３の閾値電圧未満の逆方向電圧が印加された場合は、降伏ダイオードＺＤ２には、逆方向電流Ｉ１３は流れない。他方、降伏ダイオードＺＤ２に対してコンデンサＣ３の閾値電圧以上の逆方向電圧が印加された場合は、降伏ダイオードＺＤ１には、逆方向電流Ｉ１３が流れる。
【０１０４】
このラッチ回路１６では、コンデンサＣ３の両端間電圧ＶＣ３が閾値電圧未満である場合（すなわち通常時）は、降伏ダイオードＺＤ２には、降伏電圧未満の電圧が印加される。これにより、降伏ダイオードＺＤ２には逆方向電流Ｉ１３が流れず、制御整流素子ＳＣＲ１の制御電極には電流が流れないため、制御整流素子ＳＣＲ１はオフ状態（遮断状態）のままである。この結果、制御整流素子ＳＣＲ１の導通方向上流側の主電極（アノード）の電位Ｖ１９は、高電位（すなわち電圧源Ｖ３の電位）となり、その高電位がハイレベル信号（第１信号）として制御器１０の検出端子１０ｂに出力される。
【０１０５】
また、コンデンサＣ３の両端間電圧ＶＣ３が閾値電圧以上である場合（すなわち異常時）は、降伏ダイオードＺＤ２には、降伏電圧以上の電圧が印加される。これにより、降伏ダイオードＺＤ１に逆方向電流Ｉ１３が流れ、この電流が制御整流素子ＳＣＲ１の制御電極に流れて、制御整流素子ＳＣＲ１がオン状態（導通状態）になる。この結果、制御整流素子ＳＣＲ１の導通方向上流側の端部の電位Ｖ１９は、低電位（すなわち接地端子１０ｃの電位）となり、その低電位がローレベル信号（第２信号）として制御器１０の検出端子１０ｂに入力され続ける。コンデンサＣ３の両端間電圧ＶＣ３が、一旦、閾値電圧以上になった後に閾値電圧未満に低下しても、制御整流素子ＳＣＲ１はオン状態を維持する。このため、電圧源Ｖ３の電源がオンである限り、検出端子１０ｂには、ローレベル信号が入力され続ける。
【０１０６】
この変形例の判定部１０ｅは、制御器１０の検出端子１０ｂにハイレベル信号が入力される場合は、実施形態１で説明した判定条件を満たさないと判定し、検出端子１０ｂにローレベル信号が入力される場合は、上記の判定条件を満たすと判定する。判定部１０ｅは、検出端子１０ｂにローレベル信号が入力され続ける間、上記の判定条件を満たすと判定し続ける。この結果、コンデンサＣ３の両端間電圧ＶＣ３が、一旦、閾値電圧以上になった後に閾値電圧未満に低下しても、制御部１０ｆの出力低減処理が継続される。
【０１０７】
（実施形態５の変形例２）
この変形例は、実施形態５のラッチ回路１５の別の具体例を例示する。実施形態６のラッチ回路１６は、制御整流素子ＳＣＲ１を用いて構成されたが、この実施形態のラッチ回路１７は、制御整流素子を用いずに構成される。
【０１０８】
また、実施形態６のラッチ回路１６は、コンデンサＣ３の両端間電圧ＶＣ３が閾値電圧以上になると、ローレベル信号を制御器１０の検出端子１０ｂ（したがって判定部１０ｅ）に出力した。これに対し、この変形例のラッチ回路１７は、コンデンサＣ３の両端間電圧ＶＣ３が閾値電圧以上になると、ハイレベル信号を制御器１０の検出端子１０ｂに出力する。
【０１０９】
図８に示すように、ラッチ回路１７は、ダイオードＤ５１と、３つの降伏ダイオードＺＤ５１〜ＺＤ５３と、３つのコンデンサＣ５１〜Ｃ５３と、６つの抵抗素子Ｒ５１〜Ｒ５６と、２つのスイッチング素子Ｑ５１，Ｑ５２と、電圧源Ｖ４とを備えている。
【０１１０】
なお、降伏ダイオードＺＤ５１〜ＺＤ５３の個数、抵抗素子Ｒ５１〜Ｒ５６の個数、コンデンサＣ５１〜Ｃ５３の個数は、上記の個数に限定されない。例えば、３つの降伏ダイオードＺＤ５１〜ＺＤ５３を１つの降伏ダイオードで置き換えてもよい。要するに、降伏ダイオードＺＤ５１〜ＺＤ５３の個数は、少なくとも１つであればよい。また、ラッチ回路１７のラッチ機能を有すれば、抵抗素子Ｒ５１〜Ｒ５６の個数及びコンデンサＣ５１〜Ｃ５３の個数はそれぞれ、１個であってもよいし、複数個であってもよいし、場合によってはゼロ個であってもよい。
【０１１１】
電圧源Ｖ４は、接地端子１０ｃの電位よりも高い電位（高電位）を出力する直流電圧源である。電圧源Ｖ４は、制御器１０が停止しても、照明装置１の電源がオン状態である限り、高電位を出力する電圧源である。
【０１１２】
スイッチング素子Ｑ５２は、例えば半導体スイッチング素子（例えばｎｐｎ型トランジスタ）であり、２つの主電極（例えばエミッタ及びコレクタ）と、１つの制御電極（例えばベース）とを有する。スイッチング素子Ｑ５２は、電圧源Ｖ４と接地端子１０ｃとの間に接続されており、スイッチング素子Ｑ５２のオン又はオフによって、電圧源Ｖ４と接地端子１０ｃとの間を導通又は遮断する。スイッチング素子Ｑ５２の２つの主電極のうち、一方の主電極（コレクタ）は、抵抗素子Ｒ５５，Ｒ５６を介して電圧源Ｖ４に接続され、他方の主電極（エミッタ）は、接地端子１０ｃに接続されている。スイッチング素子Ｑ５２のオンオフによって、スイッチング素子Ｑ５１のオンオフが制御される。
【０１１３】
３つの降伏ダイオードＺＤ５１〜ＺＤ５３は、互いに直列に接続された状態で、コンデンサＣ３の高電位側の端部とスイッチング素子Ｑ５２の制御電極（ベース）との間に接続されている。３つの降伏ダイオードＺＤ５１〜ＺＤ５３は、コンデンサＣ３の高電位側の端部からスイッチング素子Ｑ５２の制御電極に向かう通電方向に対して、逆方向接続となるように、接続されている。３つの降伏ダイオードＺＤ５１〜ＺＤ５３は、この順に、コンデンサＣ３側からスイッチング素子Ｑ５２の制御電極の側へと並んでいる。
【０１１４】
３つの降伏ダイオードＺＤ５１〜ＺＤ５３の各々の降伏電圧の合計は、例えば、コンデンサＣ３の閾値電圧と同じ電圧に設定されている。したがって、コンデンサＣ３の両端間電圧ＶＣ３が閾値電圧以上になると、３つの降伏ダイオードＺＤ５１〜ＺＤ５３は全て導通する。この導通により、スイッチング素子Ｑ５２がオフからオンに切り替わる。
【０１１５】
２つの抵抗素子Ｒ５１，Ｒ５３は、互いに直列に接続された状態で、降伏ダイオードＺＤ５３とスイッチング素子Ｑ５２の制御電極との間に接続されている。２つの抵抗素子Ｒ５１，Ｒ５３は、この順に、降伏ダイオードＺＤ５３側からスイッチング素子Ｑ５２の制御電極の側へと並んでいる。
【０１１６】
抵抗素子Ｒ５１の通電方向下流側の端部は、コンデンサＣ５１を介して制御器１０の接地端子１０ｃに接続されている。抵抗素子Ｒ５３の通電方向下流側の端部は、抵抗素子Ｒ５４を介して制御器１０の接地端子１０ｃに接続されている。コンデンサＣ５２は、スイッチング素子Ｑ５２における制御電極と接地端子１０ｃ側の主電極（エミッタ）との間に接続されている。
【０１１７】
スイッチング素子Ｑ５１は、例えば半導体スイッチング素子（例えばｐｎｐ型トランジスタ）であり、２つの主電極（例えばエミッタ及びコレクタ）と、１つの制御電極（例えばベース）とを有する。スイッチング素子Ｑ５１は、電圧源Ｖ４と接続点Ｎ５との間に接続されている。接続点Ｎ５は、２つの抵抗素子Ｒ５１，Ｒ５３との間の接続点である。スイッチング素子Ｑ５１のオンオフによって、電圧源Ｖ４と接続点Ｎ５との間が導通又は遮断する。スイッチング素子Ｑ５１のオン状態でスイッチング素子Ｑ５２のオン状態が保持され、スイッチング素子Ｑ５２のオン状態でスイッチング素子Ｑ５１のオン状態が保持される。
【０１１８】
スイッチング素子Ｑ５１の２つの主電極のうち、一方の主電極（エミッタ）は、電圧源Ｖ４に接続され、他方の主電極（コレクタ）は、抵抗素子Ｒ５２及びダイオードＤ５１を介して接続点Ｎ５に接続されている。ダイオードＤ５１は、スイッチング素子Ｑ５１から接続点Ｎ５に向かう通電方向に対して、順方向接続となるように、接続されている。抵抗素子Ｒ５２及びダイオードＤ５１は、この順で、スイッチング素子Ｑ５１側から接続点Ｎ５側へと並んでいる。スイッチング素子Ｑ５１の通電方向下流側の主電極（コレクタ）の電位は、制御器１０の検出端子１０ｂに出力されている。
【０１１９】
スイッチング素子Ｑ５１における制御電極（ベース）と通電方向上流側の主電極（コレクタ）との間には、コンデンサＣ５３が接続されている。
【０１２０】
このラッチ回路１７では、コンデンサＣ３の両端間電圧ＶＣ３が閾値電圧未満である場合（すなわち通常時）は、降伏ダイオードＺＤ５１〜ＺＤ５３には、降伏電圧未満の電圧が印加される。これにより、降伏ダイオードＺＤ５１〜ＺＤ５３には逆方向電流Ｉ１６が流れず、スイッチング素子Ｑ５２の制御電極には電流（ベース電流）Ｉ１５が流れないため、スイッチング素子Ｑ５２はオフ状態のままである。この結果、スイッチング素子Ｑ５１の導通方向下流側の主電極（コレクタ）の電位Ｖ１５は、低電位（すなわち接地端子１０ｃの電位）となり、その低電位がローレベル信号（第１信号）として制御器１０の検出端子１０ｂに出力される。
【０１２１】
また、コンデンサＣ３の両端間電圧ＶＣ３が閾値電圧以上である場合（すなわち異常時）は、降伏ダイオードＺＤ５１〜ＺＤ５３に、降伏電圧以上の電圧が印加される。これにより、降伏ダイオードＺＤ５１〜ＺＤ５３には逆方向電流Ｉ１６が流れ、この電流Ｉ１６がベース電流Ｉ１５としてスイッチング素子Ｑ５２の制御電極に流れて、スイッチング素子Ｑ５２がオンになる。これにより、電圧源Ｖ４からの電流Ｉ１７が、抵抗素子Ｒ５６を通じてスイッチング素子Ｑ５１の制御電極にベース電流Ｉ１８として流れて、スイッチング素子Ｑ５１がオンになる。
【０１２２】
この結果、電圧源Ｖ４からの電流Ｉ１７が、順に各回路要素Ｑ５１，Ｒ５２，Ｄ５１，Ｒ５３を通じてスイッチング素子Ｑ５２の制御電極にベース電流Ｉ１５として流れる。このベース電流Ｉ１５によって、コンデンサＣ３の両端間電圧ＶＣ３が閾値未満に低下して降伏ダイオードＺＤ５１〜ＺＤ５３に逆方向電流Ｉ１６が流れなくなっても、スイッチング素子Ｑ５２のオン状態が保持される。この保持によって、スイッチング素子Ｑ５１のオン状態が保持される。
【０１２３】
この結果、スイッチング素子Ｑ５１の導通方向下流側の主電極（コレクタ）の電位Ｖ１５が、高電位（すなわち電圧源Ｖ４の電位）に保持される。そして、その高電位が、ハイレベル信号（第２信号）として制御器１０の検出端子１０ｂに入力され続ける。すなわち、コンデンサＣ３の両端間電圧ＶＣ３が、一旦閾値電圧以上になった後に閾値電圧未満に低下しても、電圧源Ｖ４の電源がオンである限り、検出端子１０ｂには、ハイレベル信号が入力され続ける。
【０１２４】
この変形例の判定部１０ｅは、制御器１０の検出端子１０ｂにローレベル信号が入力される場合は、実施形態１で説明した判定条件を満たさないと判定し、検出端子１０ｂにハイレベル信号が入力される場合は、上記の判定条件を満たすと判定する。判定部１０ｅは、検出端子１０ｂにハイレベル信号が入力され続ける間、上記の判定条件を満たすと判定し続ける。この結果、コンデンサＣ３の両端間電圧ＶＣ３が、一旦閾値電圧以上になった後に閾値電圧未満に低下しても、制御部１０ｆの出力低減処理が継続される。
【０１２５】
（実施形態６）
実施形態１では、スイッチング素子Ｑ１の制御電極に印加される電圧を利用して、上記の判定条件を満たすか否かを判定した。これに対し、この実施形態では、図９に示すように、降圧コンバータ７のコイルＬ１の通電電流の変化によって発生する誘導起電力を利用して、実施形態１で説明した判定条件を満たすか否かを判定する。
【０１２６】
図９に示すように、この実施形態の降圧コンバータ７は、実施形態１の降圧コンバータ７において相互誘導回路１９を更に備えている。相互誘導回路１９は、コイルＬ１の通電電流ＩＬ１の変化によって、誘電起電力（より詳細には相互誘電起電力）を２次巻線Ｌ２に発生させる回路であり、例えば変圧器として構成されている。相互誘導回路１９は、コイルＬ１である１次巻線と、２次巻線Ｌ２と、磁路Ｇ１とを備えている。
【０１２７】
コイルＬ１（１次巻線）は、スイッチング素子Ｑ１がオン状態であるときにスイッチング素子Ｑ１からの電流Ｉ１が電流ＩＬ１として流れるコイルである。換言すれば、コイルＬ１は、スイッチング素子Ｑ１を流れて降圧コンバータ７の出力電流Ｉ１０として発光部４（負荷）に出力される電流ＩＬ１が流れるコイルである。２次巻線Ｌ２は、コイルＬ１の通電電流ＩＬ１の変化によって誘導起電力が発生する巻線である。磁路Ｇ１は、コイルＬ１を通電する電流ＩＬ１が発生する磁束が通る通路であり、例えば、環状の鉄心で形成されている。
【０１２８】
コイルＬ１及び２次巻線Ｌ２は、磁路Ｇ１に巻き付けられている。２次巻線Ｌ２の両端部のうち、一端部は、ダイオードＤ２のアノードに接続され、他端部は、制御器１０の接地端子１０ｃに接続されている。この実施形態では、ダイオードＤ２のアノードは、スイッチング素子Ｑ１の制御電極には接続されず、２次巻線Ｌ２の一端部に接続されている。
【０１２９】
この実施形態の充放電回路９では、コンデンサＣ３は、スイッチング素子Ｑ１の制御電極に印加される電圧Ｖｇ１に応じて充放電されるのではなく、２次巻線Ｌ２に発生する誘導起電力（より詳細には相互誘導起電力）ＶＬ２に応じて充放電される。
【０１３０】
この実施形態では、スイッチング素子Ｑ１がオンに切り替わることで２次巻線Ｌ２に正の誘導起電力ＶＬ２が発生し、スイッチング素子Ｑ１のオン時間中に、その正の誘導起電力で充放電回路９のコンデンサＣ３が充放電される。そして、コンデンサＣ３の両端間電圧ＶＣ３が制御器１０の検出端子１０ｂに出力される。なお、正の誘導起電力ＶＬ２とは、ダイオードＤ２の順方向に電流を流す向きの誘導起電力である。
【０１３１】
通常時のスイッチング素子Ｑ１のオン時間では、コンデンサＣ３の両端間電圧ＶＣ３は閾値電圧以上にはならないが、異常時は、スイッチング素子Ｑ１のオン時間が通常時のオン時間よりも長くなるように制御される。このため、コンデンサＣ３の両端間電圧ＶＣ３は、通常時のコンデンサＣ３の両端間電圧ＶＣ３よりも高くなり、閾値電圧以上の電圧になる。よって、この実施形態でも、実施形態１と同様に、コンデンサＣ３の両端間電圧ＶＣ３を利用して、上記の判定条件を満たすか否かを判定可能である。すなわち、判定部１０ｅは、検出端子１０ｂに入力された電圧が閾値電圧未満の場合は、上記の判定条件を満たさないと判定し、検出端子１０ｂに入力された電圧が閾値電圧以上の場合は、上記の判定条件を満たすと判定する。
【０１３２】
なお、この実施形態では、スイッチング素子Ｑ１がオフに切り替わることで２次巻線Ｌ２に負の誘導起電力ＶＬ２が発生するが、ダイオードＤ２の逆方向電圧となるため、充放電回路９には電流はながれない。なお、負の誘導起電力ＶＬ２とは、ダイオードＤ２の逆方向に電流を流す向きの誘導起電力である。
【０１３３】
以上、この実施形態によっても、実施形態１と同様に、制御部１０ｆ及び判定部１０ｅを汎用の制御ＩＣで構成できる。すなわち、汎用の制御ＩＣでは、上記の判定条件を満たすか否かを直接判定できないが、汎用の制御ＩＣが有する保護機能（例えば過電圧保護機能）を用いることで、コンデンサＣ３の両端間電圧ＶＣ３が閾値電圧以上であるか否かは直接判定できる。このため、コンデンサＣ３の両端間電圧ＶＣ３を利用して上記の判定条件を満たすか否かを判定することで、制御部１０ｆ及び判定部１０ｅを汎用の制御ＩＣで構成できる。
【０１３４】
また、２次巻線Ｌ２に発生する誘導起電力ＶＬ２を利用して充放電回路９を充放電するため、簡易な回路構成で、充放電回路９を、スイッチング素子Ｑ１のオン時間に応じて充放電できる。
【０１３５】
（実施形態７）
以下、実施形態１に係る照明装置１について詳細に説明する。
【０１３６】
図１０Ａは、本実施形態に係る照明装置１Ａの斜視図である。
【０１３７】
この照明装置１Ａは、実施形態１の点灯装置３と、点灯装置３を収容する本体５０Ａとを備えている。
【０１３８】
照明装置１Ａは、天井に埋込配設されるダウンライトとして構成される。照明装置１Ａは、実施形態１の発光部４及び点灯装置３を収容する本体５０Ａと、反射板６１とを備えている。本体５０Ａは、複数枚の放熱フィン６２を上部に備えている。本体５０Ａからは電源ケーブル６３が導出されている。電源ケーブル６３は、本体５０Ａに収容された点灯装置と、交流電源２とを電気的に接続している。
【０１３９】
また、照明装置１Ａは、ダウンライトとして構成された照明装置に限定されず、スポットライトとして構成された照明装置でもよいし、その他の形態に構成された照明装置でもよい。
【０１４０】
図１０Ｂ及び図１０Ｃは、配線ダクト７００に取り付けられるスポットライトとしてそれぞれ構成された照明装置１Ｂ（変形例１）、照明装置１Ｃ（変形例２）を示す。
【０１４１】
変形例１の照明装置１Ｂは、図１０Ｂに示すように、本体５０Ｂと、反射板６４と、コネクタ部６５と、アーム部６６とを備える。本体５０Ｂは、実施形態１の発光部４と、実施形態１の点灯装置３とを収容する。コネクタ部６５は、配線ダクト７００に装着される。アーム部６６は、コネクタ部６５と本体５０Ｂとを結合する。本体５０Ｂに収容された点灯装置３とコネクタ部６５とは、電源ケーブル６７を介して接続されている。
【０１４２】
また、変形例２の照明装置１Ｃは、図１０Ｃに示すように、本体５０Ｃと、ボックス６８と、連結部７０と、電源ケーブル７１とを備えている。本体５０Ｃは、実施形態１の発光部４を収容する。ボックス６８は、実施形態１の点灯装置３を収容する。連結部７０は本体５０Ｃとボックス６８とを連結する。電源ケーブル７１は、本体５０Ｃに収容された発光部４と、ボックス６８に収容された点灯装置３とを電気的に接続する。なお、ボックス６８の上面には、配線ダクト７００と着脱可能な状態で電気的かつ機械的に接続されるコネクタ部６９が設けられる。
【０１４３】
上述のように照明装置（照明装置１Ａ、照明装置１Ｂ及び照明装置１Ｃ）は、点灯装置３と、点灯装置３を保持する本体（本体５０Ａ、本体５０Ｂ又は本体５０Ｃ）とを備えている。
【０１４４】
（変形例）
実施形態１は、本開示の様々な実施形態の一つに過ぎない。実施形態１は、本開示の目的を達成できれば、設計等に応じて種々の変更が可能である。以下、実施形態１の変形例を列挙する。以下に説明する変形例は、適宜組み合わせて適用可能である。また、以下に説明する変形例は、実施形態１〜８と適宜組み合わせて適用可能である。以下に説明する変形例では、実施形態１と異なる点を中心に説明する。また、以下の変形例では、実施形態１と同じ部分については、同じ符号を付して説明を省略する場合がある。
【０１４５】
実施形態１では、点灯装置３の負荷として発光部４が設けられたが、図１Ｂに示すように、点灯装置３の負荷として、発光部４の代わりに、発光部９０を発光させる駆動回路９１が設けられてもよい。この場合は、点灯装置３の出力電流Ｉ８（すなわち降圧コンバータ７の出力電流Ｉ１０）は、駆動回路９１に出力される。そして、駆動回路９１が、点灯装置３の出力電流Ｉ８を用いて発光部９０を発光させる。この場合の発光部９０は、発光部４と同じ構成であってもよいし、異なる構成であってもよい。
【０１４６】
また、実施形態１では、コンデンサＣ３の両端間電圧ＶＣ３が閾値電圧以上であるか否かを判定することで、上記の判定条件を満たすか否かを判定したが、上記の判定条件の判定方法をこのように限定するものではない。例えば、スイッチング素子Ｑ１のスイッチング周期のオン時間を検出し、その検出したオン時間が上記の判定条件を満たすか否かを判定してもよい。この場合は、例えば、制御器１０がオン時間を検出する検出部を更に備える。そして、判定部１０ｅが、検出部で検出されたオン時間が上記の判定条件を満たすか否かを判定する。この場合は、充放電回路９は省略される。この場合の制御器１０は、例えば、汎用の制御ＩＣではなく、この照明装置１専用の制御ＩＣとして設計されるか、又はマイコンとして構成可能である。
【０１４７】
（まとめ）
以上説明したように、第１の態様に係る点灯装置（３）は、整流回路（５）と、平滑コンデンサ（Ｃ１）と、降圧コンバータ（７）と、判定部（１０ｅ）と、制御部（１０ｆ）と、を備える。整流回路（５）は、交流電圧を整流する。平滑コンデンサ（Ｃ１）は、整流回路（５）で整流された電圧（Ｖ９）を平滑化する。降圧コンバータ（７）は、スイッチング素子（Ｑ１）を含み、平滑コンデンサ（Ｃ１）で平滑化された電圧（ＶＣ１）を降圧し、降圧した電圧（Ｖ１０）に応じた直流電流を出力電流（Ｉ１０）として負荷（４）に出力する。判定部（１０ｅ）は、判定条件を満たすか否かを判定する。判定条件は、スイッチング素子（Ｑ１）のスイッチング周期のオン時間がスイッチング周期において第１閾値時間以上になる状態が第２閾値時間以上継続するという条件である。制御部（１０ｆ）は、判定部（１０ｅ）が判定条件を満たさないと判定した場合は、降圧コンバータ（７）の出力電流（Ｉ１０）が一定になるようにスイッチング素子（Ｑ１）のスイッチング周期のオン時間を制御する。制御部（１０ｆ）は、上記の判定条件を満たすと判定した場合、降圧コンバータ（７）の出力電流（Ｉ１０）の出力が低減するようにスイッチング素子（Ｑ１）を制御する。
【０１４８】
この構成によれば、降圧コンバータ（７）の出力電流（Ｉ１０）が一定になるようにスイッチング素子（Ｑ１）のスイッチング周期のオン時間が制御される。このため、整流回路（５）で整流された電圧（Ｖ９）にリップルが発生しても、スイッチング素子（Ｑ１）によって、リップルによる出力電流（Ｉ１０）の変動を抑制できる。また、スイッチング素子（Ｑ１）のオン時間が第１閾値時間以上になる状態が第２閾値時間以上継続した場合、降圧コンバータ（７）の出力電流（Ｉ１０）が低減するようにスイッチング素子（Ｑ１）が制御される。このため、降圧コンバータ（７）の出力電流（Ｉ１０）が大電流に制御され続けることを抑制でき、これにより、点灯装置（３）又は負荷（４）での異常発熱を抑制できる。
【０１４９】
第２の態様に係る点灯装置（３）は、第１の態様に記載の点灯装置（３）において、充放電回路（９）を更に備える。充放電回路（９）は、コンデンサ（Ｃ３）を含む。コンデンサ（Ｃ３）は、スイッチング素子（Ｑ１）の制御電極に印加された制御電圧（Ｖｇ１）に応じて充放電する。判定部（１０ｅ）は、コンデンサ（Ｃ３）の両端間電圧（ＶＣ３）が閾値電圧以上である場合は、判定条件を満たすと判定し、コンデンサ（Ｃ３）の両端間電圧（ＶＣ３）が閾値電圧未満である場合は、判定条件を満たさないと判定する。
【０１５０】
この構成によれば、制御部（１０ｆ）及び判定部（１０ｅ）を汎用の制御ＩＣで構成できる。すなわち、汎用の制御ＩＣでは、上記の判定条件を満たすか否かを直接判定できないが、汎用の制御ＩＣが有する保護機能（例えば過電圧保護機能）を用いることで、コンデンサ（Ｃ３）の両端間電圧（ＶＣ３）が閾値電圧以上であるか否かは直接判定できる。このため、コンデンサ（Ｃ３）の両端間電圧（ＶＣ３）を利用して上記の判定条件を満たすか否かを判定することで、制御部（１０ｆ）及び判定部（１０ｅ）を汎用の制御ＩＣで構成できる。
【０１５１】
また、スイッチング素子（Ｑ１）の制御電圧に印加される制御電圧を利用して、コンデンサ（Ｃ３）を充放電するため、簡易な回路構成で、コンデンサ（Ｃ３）をスイッチング素子（Ｑ１）のオン時間に応じて充放電できる。
【０１５２】
第３の態様に係る点灯装置（３）では、第１の態様に記載の点灯装置（３）において、降圧コンバータ（７）は、１次巻線（Ｌ１）と、２次巻線（Ｌ２）と、を有する。１次巻線（Ｌ１）には、スイッチング素子（Ｑ１）がオン状態であるときにスイッチング素子（Ｑ１）からの電流が流れる。２次巻線（Ｌ２）は、１次巻線（Ｌ１）に流れる電流（ＩＬ１）の変化によって誘導起電力が発生する。点灯装置（３）は、充放電回路（９）を更に有する。充放電回路（９）は、コンデンサ（Ｃ３）を含む。コンデンサ（Ｃ３）は、２次巻線（Ｌ２）に発生する誘導起電力に応じて充放電する。判定部（１０ｅ）は、コンデンサ（Ｃ３）の両端間電圧（ＶＣ３）が閾値電圧以上である場合は、判定条件を満たすと判定し、コンデンサ（Ｃ３）の両端間電圧（ＶＣ３）が閾値電圧未満である場合は、判定条件を満たさないと判定する。
【０１５３】
この構成によれば、制御部（１０ｆ）及び判定部（１０ｅ）を汎用の制御ＩＣで構成できる。すなわち、汎用の制御ＩＣでは、上記の判定条件を満たすか否かを直接判定できないが、汎用の制御ＩＣが有する保護機能（例えば過電圧保護機能）を用いることで、コンデンサ（Ｃ３）の両端間電圧（ＶＣ３）が閾値電圧以上であるか否かは直接判定できる。このため、コンデンサ（Ｃ３）の両端間電圧（ＶＣ３）を利用して上記の判定条件を満たすか否かを判定することで、制御部（１０ｆ）及び判定部（１０ｅ）を汎用の制御ＩＣで構成できる。
【０１５４】
また、２次巻線（Ｌ２）に発生する誘導起電力を利用してコンデンサ（Ｃ３）を充放電するため、簡易な回路構成で、コンデンサ（Ｃ３）をスイッチング素子（Ｑ１）のオン時間に応じて充放電できる。
【０１５５】
第４の態様に係る点灯装置（３）では、第２又は第３の態様に記載の点灯装置（３）において、充放電回路（９）は、信号出力回路（１２，１３，１４）を有する。信号出力回路（１２，１３，１４）は、互いに電圧値が異なる第１信号及び第２信号（ハイレベル信号及びローレベル信号）のうちの１つを選択的に判定部（１０ｅ）に出力する。信号出力回路（１２，１３，１４）は、コンデンサ（Ｃ３）の両端間電圧（ＶＣ３）が閾値電圧未満の場合は、第１信号（ハイレベル信号及びローレベル信号のうちの一方）を判定部（１０ｅ）に出力する。信号出力回路（１２，１３，１４）は、コンデンサ（Ｃ３）の両端間電圧（ＶＣ３）が閾値電圧以上である場合は、第２信号（ハイレベル信号及びローレベル信号のうちの他方）を判定部（１０ｅ）に出力する。判定部（１０ｅ）は、信号出力回路（１２，１３，１４）から第１信号を取得する場合は、判定条件を満たさないと判定し、信号出力回路（１２，１３，１４）から第２信号を取得する場合は、判定条件を満たすと判定する。
【０１５６】
この構成によれば、コンデンサ（Ｃ３）の両端間電圧（ＶＣ３）が閾値電圧以上であるか否かの情報を、アナログ信号ではなく、デジタル信号として、判定部（１０ｅ）に出力できる。
【０１５７】
第５の態様に係る点灯装置（３）では、第２〜第４の態様の何れか１つに記載の点灯装置（３）において、充放電回路（９）は、ラッチ回路（１５，１６，１７）を有する。ラッチ回路（１５，１６，１７）は、互いに電圧値が異なる第１信号及び第２信号（ハイレベル信号及びローレベル信号）のうちの１つを選択的に判定部（１０ｅ）に出力する。ラッチ回路（１５，１６，１７）は、コンデンサ（Ｃ３）の両端間電圧（ＶＣ３）が閾値電圧未満の場合は、第１信号（ハイレベル信号及びローレベル信号のうちの一方）を判定部（１０ｅ）に出力する。ラッチ回路（１５，１６，１７）は、コンデンサ（Ｃ３）の両端間電圧（ＶＣ３）が閾値電圧以上である場合は、コンデンサ（Ｃ３）の両端間電圧（ＶＣ３）が閾値電圧未満に戻っても、第２信号（ハイレベル信号及びローレベル信号のうちの他方）を判定部（１０ｅ）に出力し続ける。判定部（１０ｅ）は、ラッチ回路（１５，１６，１７）から第１信号を取得すると、判定条件を満たさないと判定し、ラッチ回路（１５，１６，１７）から第２信号を取得すると、判定条件を満たすと判定する。
【０１５８】
この構成によれば、コンデンサ（Ｃ３）の両端間電圧（ＶＣ３）が、一旦閾値電圧以上になると、コンデンサ（Ｃ３）の両端間電圧（ＶＣ３）が閾値電圧未満に戻っても、ラッチ回路（１５，１６，１７）によって、第２信号が判定部（１０ｅ）に出力され続ける。このため、異常時から通常時に戻った後も、降圧コンバータ（７）の出力電流を低減することを継続できる。
【０１５９】
第６の態様に係る照明装置は、点灯装置（３）と、負荷と、備える。負荷は、発光部（４）、又は、駆動回路である。点灯装置（３）は、第１〜第５の態様の何れか一項に記載の点灯装置である。駆動回路は、発光部を発光させる。
【０１６０】
この構成によれば、上記の効果を奏する照明装置を提供できる。
【符号の説明】
【０１６１】
１  照明装置
３  点灯装置
５  整流回路
７  降圧コンバータ
９  充放電回路
１０ｅ  判定部
１０ｆ  制御部
１２，１３，１４  信号出力回路
１５，１６，１７  ラッチ回路
Ｌ１  コイル（１次巻線）
Ｌ２  ２次巻線
Ｑ１  スイッチング素子
【図１】
2019207807.tif 000003
【図２】
2019207807.tif 000004
【図３】
2019207807.tif 000005
【図４】
2019207807.tif 000006
【図５】
2019207807.tif 000007
【図６】
2019207807.tif 000008
【図７】
2019207807.tif 000009
【図８】
2019207807.tif 000010
【図９】
2019207807.tif 000011
【図１０】
2019207807.tif 000012